(57)【要約】【課題】表示装置側で加えた加工データを画像データが記録されている記録媒体に、画像データとは別に記録する。そして、画像データを再生する際には、画像データにその加工データに基づいた処理を施した状態で表示させることが可能な情報表示装置を提供することを目的とする。【解決手段】読み出した画像データに加工を施したら、その加工データを画像データと同じ記録媒体に記録しておく。画像データを読み出す際には、その加工データをも読出し、その加工データに基づいて表示させる。【選択図】  図１
2004328208.tif 000002
【特許請求の範囲】
【請求項１】
脱着可能な記録媒体から画像情報を読出す手段と、前記画像情報の付加情報を前記記録媒体から読み出す手段と、前記付加情報に基づいて前記画像情報を表示する表示手段とを有する情報表示装置。
【請求項２】
脱着可能な記録媒体から画像情報を読み出す手段と、前記画像情報を加工して表示する手段と、前記加工情報を前記記録媒体に記録する手段とを有する情報表示装置。
【発明の詳細な説明】
【０００１】
【発明の属する技術分野】
本発明は、電子化された画像データを取り扱う分野に属するものであり、特に脱着可能な記録媒体から画像データを読出して表示する装置および方法に関るものである。
【０００２】
【従来の技術】
近年映像音響機器のデジタル化が進み、映像データをデジタルデータとして生成、保存できるようになってきた。
【０００３】
デジタルスチルカメラでは、レンズを通した被写体情報をＣＣＤによってデジタルデータに変換し、内蔵若しくは外付けのメモリに記録している。
【０００４】
例えば、ＤＣＦ（Ｄｅｓｉｇｎ  ｆｏｒ  Ｃａｍｅｒａ  Ｆｉｌｅ  ｓｙｔｅｍ）と呼ばれる規格では、画像データは、図７に示すようなディレクトリ構造でメモリ上に記録保存することが決められている（例えば、特許文献１参照）。
【０００５】
図７において、各ディレクトリの下に保存された「．ｊｐｇ」の拡張子がついたファイルが画像データである。
【０００６】
これらのデータは撮影したカメラ自体で再生できるばかりでなく、パソコンなどの別装置にデータを移して再生させることもできる。記録した画像データを一覧表示させる場合では、通常は表示画面の大きなカメラ以外の別装置で表示させた方が視認しやすい。
【０００７】
図６（ａ）に、これらの画像データを一覧表示させたものを示す。これはサムネイル表示という。サムネイル表示中の画像データは１枚だけの独立表示も可能である。図６（ｂ）は１枚だけを表示した場合を示す。
【０００８】
図６（ａ）において画像６０３は、撮影する際に撮影機器自体を横に向けて取得した画像データである。
【０００９】
【特許文献１】
特開平１０−２８５４４５号公報
【００１０】
【発明が解決しようとする課題】
図６（ａ）に示すように通常は横長の構図で画像データは記録される。そのため、カメラを横にして撮影した場合は、被写体が横向きの映像が表示画面に表示される。
【００１１】
これを縦長に表示させるには、表示装置自体が６０１の画像データを９０度回転させて表示させることになる。
【００１２】
しかし、図７で示す元の画像データ自体を９０度回転させて記録媒体に再記録させるわけではないので、表示装置から記録媒体を一度抜いてしまうと回転させた操作の記録自体は残らない。
【００１３】
結果、再度記録媒体を表示装置で表示させると図６の状態から始めなければならない。図６の場合は、６０１の１枚だけが、被写体が横向きに表示されている。しかし、画像の枚数がもっと多く、横向きに表示されている画像の数も多ければ、記録媒体を抜き差しする度に表示装置を操作して表示向きを変更するのは大変手間がかかり、利便性に欠けるという課題となる。
【００１４】
また、ここでは、画像の表示の向きについて示したが、加工の種類は表示方向だけにかぎらず、色合い、トリミングなどの加工についても同様の事が言える。
【００１５】
【課題を解決するための手段】
本発明では、上記の課題を解決するために、表示装置側で加えた加工データを画像データが記録されている記録媒体に、画像データとは別に記録する。そして、画像データを再生する際には、画像データにその加工データに基づいた処理を施した状態で表示させる。
【００１６】
【発明の実施の形態】
（実施の形態１）
図１に本発明の情報表示装置の構成を示す。本発明の情報表示装置１００は、入力部１０１、制御部１０２、リードライト部１０４、表示制御部１０５、表示部１０６を含む。
【００１７】
情報表示装置１００はリードライト部１０４を通じて記録媒体２００にアクセスすることができる。記録装置はここではＳＤメモリカードとするが、その他の固体メモリ、ＤＶＤ−ＲＡＭ、ＤＶＤ−ＲＯＭ、ハードディスク装置、などの脱着および記録再生可能な記録媒体および記録媒体装置であればよい。また、ＲＡＭとＲＯＭの複合記録媒体や、Ｗｒｉｔｅ  ｏｎｃｅの記録媒体でもよい。
【００１８】
制御部１０２は、ＣＰＵと制御用プログラムを備えたＲｅａｄ  Ｏｎｌｙ  Ｍｅｍｏｒｙ（以後ＲＯＭと記す。）とＲａｎｄｏｍ  Ａｃｃｅｓｅ  Ｍｅｍｏｒｙ（以後ＲＡＭと記す。）を含む。
【００１９】
制御部１０２は、入力部１０１からの指示に基づいて、記録媒体２００からリードライト部１０４を通じて画像データをＲＡＭに読み込み、表示制御部１０５を通じて表示部１０６に表示する。
【００２０】
また制御部１０２は、入力部１０１からの指示に基づいて、表示した画像データを表示制御部１０５を制御することによって加工する。ここで、加工とは、画像データの回転、拡大縮小、色合い、トリミング、他の画像データとの合成などを含む。
【００２１】
さらに制御部１０２は、入力部１０１からの指示に基づいて、これら表示制御部１０５で行った加工の手続きをデータとして記録媒体２００へ記録する。ここで、加工の手続きのデータの記録とは、記録媒体２００から読み出した画像データを変更し、元の画像データと置き換え再記録するのではない。元の画像データはそのままで、表示制御部１０５で行った加工に関するデータのみを記録媒体２００に記録することを言う。
【００２２】
入力部１０１は、利用者が情報表示装置１００へ指示を与えるためのもので、キーボード、リモコン、タッチパネル、マウスなどの形態が想定されるが、これに限定するものではない。
【００２３】
表示制御部１０５は、制御部１０２のＲＡＭ中に読み込まれた画像データを表示部１０６へ表示する。また、利用者の入力部１０１からの指示に基づいて、画像データを表示する際に、表示の仕方を加工する。図１では、表示制御部１０５は画像回転部１０３を有する。この画像回転部１０３を起動させることで、表示部１０６上で表示されている画像を回転させることができる。
【００２４】
表示部１０６は、ＣＲＴ、液晶表示装置、ＰＤＰその他の表示装置で構成される。
【００２５】
次に本実施の形態における情報表示装置１００の動作について説明する。ここでは、記録媒体２００には、画像データと共に、加工データも予め記録されているものとする。なお、ここでは加工データは画像データを回転表示させるためのデータとする。
【００２６】
利用者は、画像データの記録された記録媒体２００を情報表示装置１００のリードライト部１０４へ挿入する。
【００２７】
記録媒体２００には、図２に示すようなデータ構造で画像データが記録されているものとする。
【００２８】
利用者は、入力部１０１から記録媒体２００の画像データを一覧表示させる指示を送る。制御部は、この指示を受け、記録媒体２００のディレクトリＤＣＩＭ、ＡＡＡ、ＩＭＥＸＰＯＲＴなどに記録されている画像データを順次読出す。そして、予め決められたサムネイル表示の様式に従って表示する。この表示の状態を図５に示す。
【００２９】
利用者は、サムネイル表示させた画像データの１つを指定する。ここでは、図５の５０３の画像データを指定したとする。この画像データは、１１１１０００２．ｊｐｇというファイルネームで保存されている。これは図２に示すディレクトリＤＣＩＭの下の１００１１１１１というディレクトリの下に保存されている。利用者はこの画像データを単独に表示させる指示を送る。これ以降の動作については図４（ａ）のフローも参照する。
【００３０】
制御部１０２は、単独表示の要求があったら（Ｓ４０１）、指示された画像データを記録媒体のディレクトリの箇所から読み出す（Ｓ４０２）。次に制御部１０２は記録媒体のディレクトリＭＩＳＣの下にある回転角度保存ファイルを読み出す（Ｓ４０３）。なお、図４においては、回転角度保存ファイルを「回転ファイル」と省略して記してある（以下の実施例について同じ）。図２の２０４にディレクトリＭＩＳＣの構造を示す。
【００３１】
回転角度保存ファイル２０５には、図３に示すデータが記録されている。制御部１０２は、指定されて読み出した図５の５０３に関するデータがあるか否かを調べる（Ｓ４０４）。
【００３２】
ここでは、画像パス名「￥ＤＣＩＭ￥１００１１１１１￥１１１１０００２．ｊｐｇ」がこれにあたる。そしてその回転角度が９０度であることが記載されている。
【００３３】
制御部１０２はこの情報に基づき（Ｓ４０５）図５の５０３の画像データを９０度回転させて表示する（Ｓ４０６、Ｓ４０７）。この状態を図５（ｂ）に示す。
【００３４】
ここでは、回転角度が記録媒体２００に記録されているとして説明したが、もし指定された画像データに対応する回転角度データがなければ、画像データをそのまま単独に表示する（Ｓ４０４で判断がＮＯの場合）。
【００３５】
ここでは、サムネイル表示画面を表示した後、そのうちの１の画像データを指定し、単独に表示させる際に、加工データとして回転角度保存ファイルを調べ、そのデータに基づいて画像データを回転させて表示させた。しかし、加工データの読出しは、単独表示の指示の後に限定されるものではなく、記録媒体にアクセスした直後に読み出して、制御部のＲＡＭ中に保存しておいてもよい。また、最初の単独表示の指示の後読み出しておいてＲＡＭ中に保存しておいてもよい。
【００３６】
また、本実施の形態で加工データとなる回転角度を一度保存した後は、サムネイル表示やスライドショー表示などでもこの加工データに基づいて表示してもよい。
【００３７】
また、本実施の形態では、記録媒体２００から読み出した画像データは、制御部１０２内のＲＡＭに記録されることとしたが、表示制御部１０５がＲＡＭを有する構成にしてもよいし、制御部１０２および表示制御部１０５以外にＲＡＭを設ける構成としてもよい。
【００３８】
なお、上記の構成についての許容範囲については、以下の実施の形態についても同様である。
【００３９】
（実施の形態２）
次に画像データを加工した後、加工データを記録する場合について説明する。本実施の形態では、実施の形態１と異なり、記録媒体には、画像データだけが記録されており、加工データは記録されていないものとする。なお、ここで加工データは画像データを回転表示させるためのデータである。
【００４０】
利用者が、サムネイル表示画面を表示させるまでは、実施の形態１と同じである。したがって、表示装置１０６には、図５（ａ）の状態が表示される。
【００４１】
利用者は、ここで画像データを指定して単独表示させる。指定した画像が図５（ａ）の５０３であるとする。
【００４２】
制御部１０２は、実施の形態１の場合と同様に図２のディレクトリＤＣＩＭを調べ、該当するファイル１１１１００２．ｊｐｇを読み出す。次にＭＩＳＣ中の回転角度保存ファイルを調べる。しかし、ファイル１１１１００２．ｊｐｇに合致する回転角度のデータはない。したがって、制御部１０２は図５（ａ）５０３の画像データをそのまま単独表示させる。具体的には図６（ｂ）と同じ表示になる。
【００４３】
利用者は、このままでは見にくいため、画像を９０度回転させるように入力部１０１を通じて指示を出す。
【００４４】
制御部１０２は表示制御部１０５に表示加工の指示を出す。表示制御部１０５は画像回転部１０３を起動させ、制御部１０５にあるＲＡＭ上の画像データを９０度回転させて図５（ｂ）のように表示する。具体的にはＲＡＭ上のデータの読出し順序を変更する、若しくは制御部のＲＡＭ上の画像データを別のＲＡＭに書込み順序を変えて書き込みそれを読み出すといった方法が利用できる。
【００４５】
利用者は、このようにしてファイル「１１１１００２．ｊｐｇ」に対して行った加工データを記録する指示を出す。これ以降の動作については図４（ｂ）をも参照する。
【００４６】
制御部１０２は、回転角度保存ファイルを保存の要求があったら（Ｓ４０８）、ファイル「１１１１００２．ｊｐｇ」に対して行った回転の角度のデータを記録媒体２００に記録する。制御部１０２が記録する際には、記録媒体２００にアクセスし（Ｓ４０９）、回転角度保存ファイルの有無について確認する（Ｓ４１０）。そして、記録媒体のディレクトリＭＩＳＣの下の回転角度保存ファイルに画像データのパスを含めた画像データのファイルおよびそれに対応する回転角度データを記録する（Ｓ４１１）。
【００４７】
もし、ディレクトリＭＩＳＣの下に角度回転保存ファイルが無い場合（Ｓ４１０でＮＯの場合）は、そのファイルを作成して記録する（Ｓ４１２、Ｓ４１１）。このようにすることで、記録媒体を情報表示装置から引き抜いても、この回転角度保存ファイルにアクセスすることで、過去の行った加工データを得ることができる。これは画像データを、再度同じ加工状態で表示できることを意味している。
【００４８】
（実施の形態３）
本実施の形態では、カメラなどの撮影機器において、撮影条件を加工ファイルとして記録する場合である。画像入力装置８００の構成を図８に示す。制御部８０２、リードライト部８０４、表示制御部８０５、表示部８０６は、実施の形態１および２と同様である。
【００４９】
本実施の形態で特徴となるのは、画像データ入力部８０１と撮影条件入力部が付加されている点である。画像データ入力部８０１は、カメラなどの撮像機器の場合は、レンズとＣＣＤなどで構成される。撮影条件入力部８０３は、カメラの姿勢角度検知部８１０や、時計部８１１、音声記録部８１３、場所特定部８１２などから１つ若しくは複数選ばれる。場所特定部８１２とは、ＧＰＳなどの情報から撮影が行われた場所のデータを出力するものである。
【００５０】
本実施の形態では、撮影が行われ画像データが記録媒体に記録される際に、撮影条件入力部のデータを加工データとして記録媒体２００に記録する。
【００５１】
例えば、カメラを縦にして縦長の構図の写真を撮影した場合は、姿勢角度検知部８１０がカメラ本体が縦にされていたことを検知し、記録媒体２００に画像ファイルに対応した回転角度を記録する。
【００５２】
このようにすることで、図２の回転角度保存ファイルが撮影の際に作成される。したがって、この記録媒体を実施の形態１で示した情報表示装置で表示すると、なんの加工も加えることなく図５（ｂ）のような表示を得ることができる。
【００５３】
なお、上記３つの実施の形態では、加工データはディレクトリＭＩＳＣのしたに加工ファイルとなる回転角度保存ファイルを作成した。しかしこの場所に限定するものではなく、別のディレクトリや別のファイルにしてもよい。
【００５４】
また、本発明では、加工データを記録する場所を予め決めてあり、記録する際も読み出す際も決まったファイルを読み出すように構成した。しかし、特別な拡張子を決めておき、情報表示装置の方で該当する拡張子をもつファイルを全て探し出して、加工ファイルを探すようにしてもよい。また、加工データの有無と記録場所を示す特定のファイルを決めておき、その中に加工データの保存場所を書き込んでおく方法でもよい。
【００５５】
【発明の効果】
本発明では、脱着可能な記録媒体に画像データだけでなく、画像に対する加工データも記録するようにしたので、記録媒体を一度抜き出し、本発明の機能を有する別の表示装置においても、加工を施された状態の画像データを見ることができる。
【図面の簡単な説明】
【図１】本発明の情報表示装置の構成を示す図
【図２】記録媒体中での画像データおよび加工データの記録様式を示す図
【図３】回転角度保存ファイルの内容を示す図
【図４】回転角度保存ファイルの読出しおよび書込みのフローを示す図
【図５】（ａ）サムネイル表示画面の例を示す図（ｂ）単独表示の例を示す図
【図６】（ａ）従来例のサムネイル表示画面の例を示す図（ｂ）従来例の単独表示の例を示す図
【図７】従来例のＤＣＦを用いたが画像データの記録状態を示す図
【図８】本発明の画像入力装置を示す図
【符号の説明】
１００  情報表示装置
１０１  入力部
１０２  制御部
１０３  画像回転部
１０４  リードライト部
１０５  表示制御部
１０６  表示部
２００  記録媒体
【図１】
2004328208.tif 000003
【図２】
2004328208.tif 000004
【図３】
2004328208.tif 000005
【図４】
2004328208.tif 000006
【図５】
2004328208.tif 000007
【図６】
2004328208.tif 000008
【図７】
2004328208.tif 000009
【図８】
2004328208.tif 000010